(57)【要約】【課題】スペース効率とキッチンワークの効率を向上できる食器洗浄機付きシステムキッチンを提供する。【解決手段】シンク槽９を、仕切板１９でシンク専用領域９Ａと、シンクと食器洗浄機との共用領域９Ｂとに区分し、共用領域９Ｂ内に食器類２２を収容する。そして、共用領域９Ｂ上に洗剤液の飛散防止用カバー２１を装着し、この共用領域９Ｂ内に洗浄機ユニット１４の洗浄ノズル１６からノズル用開口１２を介して洗剤液を噴射して食器類２２を洗浄する。食器洗浄機を使用しないときには、ノズル蓋１１でノズル用開口１２を封止し、専用領域９Ａと共用領域９Ｂをシンク槽９として使用する。シンク槽９の一部を食器洗浄機の洗浄槽として利用することでスペース効率を向上でき、シンク槽９内で食器類２２を洗浄することで食器類２２の移動距離を短くしてキッチンワークの効率も向上できる。【選択図】図１
2012192106.tif 000002
【特許請求の範囲】
【請求項１】
シンク槽を、シンク専用領域と、シンクと食器洗浄機との共用領域とに区分する仕切板と、
前記シンク槽の前記共用領域に設けられたノズル用開口と、
前記共用領域内に収容された洗浄対象の食器類を、前記ノズル用開口を介して洗浄ノズルから洗剤液を噴射して洗浄する洗浄機ユニットと、
この洗浄機ユニットで食器類を洗浄する際に、前記シンク槽の共用領域上に装着されて洗剤液の飛散を防止する飛散防止用カバーと、
前記共用領域をシンク槽として使用する際に、前記ノズル用開口を封止するノズル蓋とを具備し、
前記シンク槽の一部を食器洗浄機の洗浄槽として利用することを特徴とする食器洗浄機付きシンク。
【請求項２】
前記ノズル用開口から温風を送風して、洗浄した食器類を乾燥させるヒータユニットを更に具備することを特徴とする請求項１に記載の食器洗浄機付きシンク。
【請求項３】
前記シンク槽は、前記シンク専用領域と前記共用領域との境界に設けられた受け溝を備え、前記仕切板は食器類を洗浄する際に前記受け溝内に挿入され、前記シンク槽を前記シンク専用領域と前記共用領域とに区分することを特徴とする請求項１に記載の食器洗浄機付きシンク。
【請求項４】
前記シンク槽の前記共用領域内に収容される食器カゴを更に具備することを特徴とする請求項１に記載の食器洗浄機付きシンク。
【請求項５】
前記ノズル蓋は、前記ノズル用開口に着脱自在に装着されることを特徴とする請求項１に記載の食器洗浄機付きシンク。
【発明の詳細な説明】
【技術分野】
【０００１】
本発明は、シンク槽の一部を食器洗浄機の洗浄槽として利用する、食器洗浄機付きシンクに関するものである。
【背景技術】
【０００２】
近年において、食器洗浄機は、洗い物をする時間が省略できるだけでなく、洗浄から除菌や乾燥までを全自動で処理するために衛生的であること、また、手洗いよりもきれいに洗えて節水もできること、更には、深夜電力を利用すればランニングコストも比較的安く済むこと等の理由により普及が進んでいる。
【０００３】
この食器洗浄機は、例えば、据置型（卓上型）とビルトイン型に大別できる。据置型の食器洗浄機は、安価で設置場所の自由度が高く、設置工事も容易であるが、新たに設置場所を確保する必要があり、調理台の上等に設置すると、キッチンワークのスペースが減少する傾向がある。
【０００４】
一方、ビルトイン型の食器洗浄機は、据置型に比べて高価で設置場所に制限があり、設置工事にも期間とコストがかかるが、システムキッチンに組み込まれることから、キッチンに一体感が生まれ、デザイン性が高く、機能性や快適性を有する点においても人気がある。
【０００５】
このようなビルトイン型の食器洗浄機付きシステムキッチンは、例えば、特許文献１に記載されているように、キッチンカウンタ下に引き出し式の収納部や開き戸式の収納部等のシステムキッチン構築物を設け、キッチンカウンタ下に電子レンジやオーブンレンジと共に食器洗浄機を組み込むのが一般的な設置形態である。そして、食器洗浄機の洗浄槽を前後に進退移動させて、食器類を出し入れするようになっている。
【０００６】
また、例えば、特許文献２には、システムキッチンのトップカウンタに流し台と食器洗浄機を隣接して設け、食器洗浄機上に跳ね上げ式の蓋体を設けることで、蓋体の上面を調理スペースとして活用するものが開示されている。
【先行技術文献】
【特許文献】
【０００７】
【特許文献１】特開２０１１−１９７３１号公報
【特許文献２】特開２０００−９３３８０号公報
【発明の概要】
【発明が解決しようとする課題】
【０００８】
しかしながら、上記したような従来のビルトイン型の食器洗浄機は、専有面積が大きいため、調理台や流し台を通常の大きさにするとシステムキッチンの大型化を招いたり、収納スペースを犠牲にしなければならないという課題がある。
【０００９】
また、食器洗浄機の洗浄槽を前後に進退移動させて食器類を出し入れする構造においては、食器類の出し入れのために手前側に十分なスペースが必要であり、狭い台所では使い勝手が悪くなっていた。
【００１０】
しかも、食器類の移動距離も長くなるため、無駄な動きが多くなり、キッチンワークの効率も低下していた。
【００１１】
更に、食器洗浄機上に跳ね上げ式の蓋体を設ける構造においては、蓋体の上面を調理スペースとして活用でき、スペース効率の点で有利であるものの、食器洗浄機を使用する際には、蓋体上面を片付けなければならず、この点において必ずしも使い勝手が良くなかった。
【００１２】
そこで、本発明は、如上のような従来存した諸事情に鑑み創出されたもので、スペース効率とキッチンワークの効率を向上できる、食器洗浄機付きシステムキッチンを提供することを目的とする。
【課題を解決するための手段】
【００１３】
本発明に係る食器洗浄機付きシンクにおいては、シンク槽を、シンク専用領域と、シンクと食器洗浄機との共用領域とに区分する仕切板と、前記シンク槽の前記共用領域に設けられたノズル用開口と、前記共用領域内に収容された洗浄対象の食器類を、前記ノズル用開口を介して洗浄ノズルから洗剤液を噴射して洗浄する洗浄機ユニットと、この洗浄機ユニットで食器類を洗浄する際に、前記シンク槽の共用領域上に装着されて洗剤液の飛散を防止する飛散防止用カバーと、前記共用領域をシンク槽として使用する際に、前記ノズル用開口を封止するノズル蓋とを具備し、前記シンク槽の一部を食器洗浄機の洗浄槽として利用することで、上述した課題を解決した。
【００１４】
また、前記ノズル用開口から温風を送風して、洗浄した食器類を乾燥させるヒータユニットを更に具備することで、同じく上述した課題を解決した。
【００１５】
加えて、前記シンク槽は、前記シンク専用領域と前記共用領域との境界に設けられた受け溝を備え、前記仕切板は食器類を洗浄する際に前記受け溝内に挿入され、前記シンク槽を前記シンク専用領域と前記共用領域とに区分することで、同じく上述した課題を解決した。
【００１６】
また、前記シンク槽の前記共用領域内に収容される食器カゴを更に具備することで、同じく上述した課題を解決した。
【００１７】
この他、前記ノズル蓋は、前記ノズル用開口に着脱自在に装着されることで、同じく上述した課題を解決した。
【発明の効果】
【００１８】
本発明に係る食器洗浄機付きシンクにおいては、シンク槽の一部（共用領域）を、食器洗浄機の洗浄槽として利用できるので、システムキッチンにおける食器洗浄機の専有面積を小さくして、スペース効率を向上できる。
【００１９】
また、食器洗浄機を使用しないときには、大きなシンクとして使用可能であり、使い勝手が良い。
【００２０】
しかも、シンク槽内で食器類を洗浄するので、食器類の移動距離を短くして無駄な動きを軽減できるため、キッチンワークの効率を向上できる。
【００２１】
更に、食器洗浄機による食器類の洗浄中に、シンク槽の一部（シンク専用領域）に水を溜めて、その水の中に食器類を入れることにより、シンク槽の一部（シンク専用領域）を、食器洗浄機に食器類を収容する前の予備洗浄領域として活用することができる。
【００２２】
また、食器類の予備洗浄を終えた場合には、食器類をそのまま食器洗浄機側（共用領域）に移動させれば良いので、食器類の移動距離を最小限にすることができる。
【００２３】
しかも、濡れた食器類の移動を、シンク槽内のみで済ませることができるので、この点からもキッチンワークの効率を向上できる。
【００２４】
加えて、ノズル用開口を利用してヒータユニットから温風を送風することにより、シンク槽に専用の送風口を設けることなく食器類を乾燥できる。
【００２５】
また、シンク槽に受け溝を形成して仕切板を挿入することにより、簡単な操作で容易に仕切板を着脱できる。この受け溝内に挿入された仕切板により、シンク槽を、シンク専用領域と前記共用領域とに区分することが可能となる。更に、仕切板が受け溝内に挿入されるので、区分されたシンク槽の水密性を高めることができる。
【００２６】
この他、食器カゴは、食器類の予備洗浄時にも使用できる上、食器カゴを共用領域にセットした状態で、シンク専用領域で洗いながら直接入れることもできる。
【００２７】
そして、食器洗浄機を使用しないときには、食器カゴは食器類の収納に利用することができ、食卓からの片付け時等にも利用できる。
【００２８】
この他、ノズル蓋を着脱自在に構成すれば、単純な構造且つ簡単な操作により、共用領域をシンクと食器洗浄機の洗浄槽に切り換えることができる。
【図面の簡単な説明】
【００２９】
【図１】本発明に係る食器洗浄機付きシンクにおける、流し台と調理台を示すもので、食器洗浄機を使用していないときの状態を示す断面図である。
【図２】本発明に係る食器洗浄機付きシンクの外観斜視図である。
【図３】本発明に係る食器洗浄機付きシンクにおいて、食器洗浄機を使用する際の第１の準備工程を説明するための外観斜視図である。
【図４】本発明に係る食器洗浄機付きシンクにおいて、食器洗浄機を使用する際の第２の準備工程を説明するための外観斜視図である。
【図５】本発明に係る食器洗浄機付きシンクにおいて、食器洗浄機を使用する際の第３の準備工程を説明するための外観斜視図である。
【図６】本発明に係る食器洗浄機付きシンクにおいて、食器洗浄機を使用する際の第４の準備工程を説明するための外観斜視図である。
【図７】本発明に係る食器洗浄機付きシンクにおける、食器洗浄機の使用状態を示す外観斜視図である。
【図８】図７に示した食器洗浄機付きシンクの断面図である。
【発明を実施するための形態】
【００３０】
以下に、本発明を実施するための形態を、図面を参照して説明する。
【００３１】
図１は、本発明に係る食器洗浄機付きシンク１における、流し台３と調理台４の断面構成を示しており、食器洗浄機を使用してしないときの状態を示している。図２は、図１に示した食器洗浄機付きシンク１の外観斜視図である。
【００３２】
図１及び図２では、食器洗浄機付きシンク１に関係する要部、即ち流し台３と調理台４の周辺のみを抽出して示しており、ガスやＩＨクッキングヒータ等の調理器具、レンジフード、及び電子レンジやオーブンレンジ等は省略している。
【００３３】
図２に示すように、食器洗浄機付きシンク１を備えているシステムキッチンのワークトップ２には、流し台３、調理台４及び混合水栓５等が設けられており、キッチンカウンタ下に、引き出し式の収納部６や開き戸式の収納部７が設けられている。
【００３４】
また、このキッチンカウンタ下の化粧面材上部には、電源スイッチ、スタート／一時停止スイッチ、食器の量や汚れの度合いに応じた洗浄コースを選択するための選択ボタン、動作状態や洗浄コースを表示する表示部等が配置された操作パネル８が設けられている。
【００３５】
上記流し台３におけるシンク槽９の底部には、排水口１０とノズル用開口１２が設けられており、ノズル用開口１２には、食器洗浄機を使用する際に外されるノズル蓋１１が装着されて封止されている。
【００３６】
このノズル蓋１１は、シンク槽９の底部に形成されたノズル用開口１２にねじ込みや嵌め込みにより着脱自在に設けられており、その外周部には、シール部材や蓋体用パッキン（図示せず）が装着され、中央部に着脱用の取っ手１１ａが取り付けられている。
【００３７】
また、ノズル用開口１２には、パッキン受部（図示せず）が設けられており、シンク槽９を使用する際に、ノズル蓋１１を装着したときの水密性が確保されている。
【００３８】
そして、上記シンク槽９の内面には、側面から底面に沿って受け溝１３が形成されている。この受け溝１３は、図１に示すように、シンク槽９をシンク専用領域（専用領域）９Ａとシンクと食器洗浄機との共用領域（共用領域）９Ｂとに区分するための仕切板１９を挿入するためのものである。この受け溝１３にも、パッキン受部（図示せず）が設けられており、仕切板１９の外周部に装着されたシール部材やパッキンと嵌合させて挿入することで、水密性を高めている。
【００３９】
この仕切板１９を受け溝１３に挿入してシンク槽９を区分すると、排水口１０は専用領域９Ａ側に、ノズル用開口１２は共用領域９Ｂ側にそれぞれ配置されることになる。
【００４０】
上記シンク槽９の共用領域９Ｂ下には、洗浄機ユニット１４が設置されており、この共用領域９Ｂの側面に乾燥用のヒータユニット１５が設けられている。
【００４１】
上記洗浄機ユニット１４は、例えば、貯水用のタンク、ヒータ及びポンプ等を備えており、タンクに溜めたお湯（または水）に専用洗剤を混合した洗剤水（洗浄水）を、ヒータで温めながらポンプで洗浄ノズル１６へ送り、洗浄ノズル１６を回転させながら、洗剤水を食器類２２に噴射して汚れを落とすものである。
【００４２】
また、上記ヒータユニット１５は、送風ファンを備えており、本例ではダクト１５ａを介してノズル用開口１２から乾燥用の温風（または熱風）を送出して、洗浄が終了した食器類２２を乾燥させるようになっている。
【００４３】
上記洗浄機ユニット１４の洗浄ノズル１６は、上記ノズル蓋１１の下に上向きに配置され、食器類２２を洗浄する際に、ノズル用開口１２からシンク槽９の共用領域９Ｂ内に向かって洗剤液や温水を高圧で噴射するようになっている。食器洗浄機で使用した洗剤液や温水等の排水は、排水管１７を介して排出される。本例では、この排水管１７は、排水口１０に接続された排水管１８に連結されている。
【００４４】
また、上記調理台４下のキャビネットには、食器洗浄機を使用する際に、シンク槽９を仕切る上記仕切板１９、食器カゴ２０、及び洗浄時の洗剤液や水の飛散を防止するカバー（飛散防止カバー）２１が収容されている。
【００４５】
次に、食器洗浄機を使用する際の準備工程について、図３乃至図６を参照して説明する。
【００４６】
まず、図３に示すように、調理台４下のキャビネットに収容されている仕切板１９を取り出し、シンク槽９の受け溝１３に挿入して嵌合させ、シンク槽９を専用領域９Ａと共用領域９Ｂとに区分する。また、共用領域９Ｂの底部に設けられているノズル蓋１１を外して、洗浄ノズル１６を露出させる。
【００４７】
引き続き、図４及び図５に示すように、シンク槽９の共用領域９Ｂに食器カゴ２０をセットする。その後、図６に示すように、食器カゴ２０内に洗浄対象の食器類２２を収容し、飛散防止カバー２１を装着する。
【００４８】
図７は、本発明に係る食器洗浄機付きシンク１における、食器洗浄機の使用状態を示す外観斜視図、図８はその断面図である。図７及び図８に示すように、食器洗浄機を使用する際には、シンク槽９の専用領域９Ａを流し台として使用し、共用領域９Ｂは食器洗浄機の洗浄槽として利用する。
【００４９】
そして、操作パネル８により、食器洗浄機の電源を投入して作動させ、必要に応じて食器類２２の量やコース選択を行い、洗浄ノズル１６を回転させながらノズル用開口１２を介してシンク槽９内に向かって洗剤液や温水を高圧で噴射して、食器類２２を洗浄する。
【００５０】
食器類２２の洗浄は、例えば、溜めたお湯（または水）に専用洗剤を混合した洗浄水（洗剤水）を、ヒータで温めながらポンプで洗浄ノズル１６へ送り、洗浄ノズル１６を回転させながら洗浄水を食器類２２に噴射して汚れを落とす。洗剤液としては、単なる洗剤だけでなく、界面活性剤、漂白剤、酵素、及びアルカリ剤等の洗剤成分を混合することで、洗浄効果を高めることができる。
【００５１】
食器洗浄機で使用した洗剤液や温水等の排水は、排水管１７及び排水管１８を介して下水等の排水設備に導かれる。同様に、排水口１０から排出された排水も、排水管１８を介して下水等の排水設備に導かれる。
【００５２】
洗浄が終了した食器類２２は、上記ヒータユニット１５の送風ファンにより、ダクト１５ａからノズル用開口１２を介して送出された乾燥用の温風（または熱風）で乾燥される。
【００５３】
上記のような構成の食器洗浄機付きシンク１によれば、食器洗浄機を使用しないときには、図１及び図２に示すように、通常のシンクと全く同様に使用できる。また、シンク槽９下に洗浄機ユニット１４とヒータユニット１５、仕切板１９、食器カゴ２０、飛散防止カバー２１が収容されているだけであり、大きなスペースを要する洗浄槽が存在しないので、小さな専有スペースで済み、食器洗浄機付きシンク１のコンパクト化、或いは、食器洗浄機付きシンク１を備えたシステムキッチンの収納スペースの拡大が図れる。
【００５４】
一方、食器洗浄機を使用するときには、図７及び図８に示すように、シンク槽９の一部を食器洗浄機の洗浄槽として利用するので、食器洗浄機付きシンク１における食器洗浄機の専有面積を小さくしてスペース効率を向上できる。また、食器洗浄機を使用しないときには、大きなシンクとして使用可能であり使い勝手が良い。
【００５５】
しかも、シンク槽９内で食器類２２を洗浄するので、食器類２２の移動距離を短くして無駄な動きを軽減できるため、キッチンワークの効率を向上できる。
【００５６】
加えて、食器洗浄機の洗浄槽を前後に進退移動させる必要がないので、食器類２２の出し入れのための手前のスペースは不要であり、狭い台所でも使い勝手が良い。また、食器洗浄機を使用するために調理台４の上を片付ける必要もない。
【００５７】
更に、食器類２２の洗浄中にシンク槽９の一部（専用領域）を使って手洗いすることが可能であり、食器洗浄機でシンク槽９が専有されてしまうことはなく、使い勝手が悪くなることはない。しかも、食器カゴ２０を共用領域９Ｂにセットした状態で、専用領域９Ａで食器類２２を洗いながら食器カゴ２０に直接入れることもできる。
【００５８】
特に、食器洗浄機を使う際の予備洗浄、例えば、食器類２２の汚れを軽く水で流したり、焦げつきやこびりつき、油の固まり等を予め手洗いする必要がある場合には、手洗いの終了後にそのまま食器洗浄機側（共用領域９Ｂ）に移動させれば良いので、食器類２２の移動距離を最小限にできる。
【００５９】
しかも、濡れた食器類２２の移動を、シンク槽９内のみで済ませることができるので、この点からもキッチンワークの効率を向上できる。
【００６０】
勿論、食器類２２の洗浄を手洗いで行い、乾燥機能のみの使用や、共用領域９Ｂを食器類２２の仮置き場として使用することもできる。
【００６１】
尚、上記実施の形態では、洗浄機ユニット１４をシンク槽９の共用領域９Ｂ下に設置したが、洗浄ノズル１６のみを共用領域９Ｂ下に配置し、食器洗浄機付きシンク１を備えているシステムキッチンの空きスペース等に配置することもできる。
【００６２】
また、洗浄ノズル１６をシンク槽９の底面に配置したが、側面に配置しても良く、底面と側面の両方に配置しても良い。この他、洗浄ノズル１６を、底面や側面に複数設けても良いことは勿論である。
【００６３】
更に、食器類２２の乾燥用のヒータユニット１５を、シンク槽９の共用領域９Ｂ側の側壁に設ける例を説明したが、ダクト１５ａ等を介して温風（または熱風）が共用領域９Ｂ内に送風できれば、シンク槽９の他の側壁や底部、空きスペース等に設けても良い。また、ヒータユニット１５以外の他の食器乾燥ユニットを設けても良いし、設けなくても構わない。
【００６４】
上記実施の形態では、仕切板１９、食器カゴ２０及び飛散防止カバー２１を調理台４下のキャビネットに収容する例を示したが、他に、一括または分散して収納しても良いことは勿論である。
【００６５】
また、食器洗浄機を使用しないときには、食器カゴ２０は食器類２２の収納に利用することができ、食卓からの片付け時等にも利用できる。
【００６６】
更に、仕切板１９を受け溝１３に差し込んで着脱するようにしたが、専用領域９Ａと共用領域９Ｂに区分できれば他の構成でも良く、ノズル蓋１１はスライド式等の他の構造でも構わない。
【００６７】
以上、実施の形態を用いて本発明の説明を行ったが、本発明は上記実施の形態に限定されるものではなく、実施段階では、その要旨を逸脱しない範囲で種々に変形することが可能である。
【００６８】
例えば、飛散防止カバー２１は、所定の高さ・幅を有する立体的な形状を有するものに限定されることはなく、平面的な板状に形成しても良い。そして、仕切板１９を受け溝１３に挿入してシンク槽９を区分した状態において、共用領域９Ｂ側に板状の飛散防止カバー２１を載置すると、この飛散防止カバー２１を作業用の天板として使用できる。
【００６９】
また、共用領域９Ｂ側の洗浄機ユニット１４を作動させた状態で飛散防止カバー２１を載置した場合においても、この飛散防止カバー２１を作業用の天板として使用できることは勿論である。
【００７０】
更に、飛散防止カバー２１を、平面的な板状に形成したときには、この飛散防止カバー２１を、共用領域９Ｂの上部側に引き出すことができるように、システムキッチンの天板に組み込むことも可能である。
【００７１】
また、飛散防止カバー２１を、平面的な板状に形成し、共用領域９Ｂの上部側に引き出すことができるようにした場合において、共用領域９Ｂ部分の深さが足りない場合があると予想されるときには、シンク槽９全体において充分な深さを有するように設計すると良い。この場合、例えば、共用領域９Ｂにおいて、深さを有する鍋等を洗浄することが可能となり、その際の水はねも少なくなってシンク槽９として好ましいものとなる。
【００７２】
この他、共用領域９Ｂ側に収容する食器カゴ２０を、折り畳み可能に形成したときには、全体をコンパクトに折り畳んで、保管の際の省スペース化を実現できる。
【００７３】
また、上記実施の形態には、種々の段階の発明が含まれており、開示される複数の構成要件の適宜な組み合わせにより種々の発明が抽出され得る。例えば、実施の形態に示される全構成要件から、いくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【産業上の利用可能性】
【００７４】
本発明に係る食器洗浄機付きシンクは、デザイン性、機能性並びに快適性が高いもので、一体感のあるシステムキッチンとして利用することができる。
【符号の説明】
【００７５】
１…食器洗浄機付きシンク
２…ワークトップ
３…流し台
４…調理台
５…混合水栓
６…引き出し式の収納部
７…開き戸式の収納部
８…操作パネル
９…シンク槽
９Ａ…シンク専用領域（専用領域）
９Ｂ…食器洗浄機との共用領域（共用領域）
１０…排水口
１１…ノズル蓋
１１ａ…取っ手
１２…ノズル用開口
１３…受け溝
１４…洗浄機ユニット
１５…ヒータユニット
１５ａ…ダクト
１６…洗浄ノズル
１７…排水管
１８…排水管
１９…仕切板
２０…食器カゴ
２１…カバー（飛散防止カバー）
２２…食器類
【図１】
2012192106.tif 000003
【図２】
2012192106.tif 000004
【図３】
2012192106.tif 000005
【図４】
2012192106.tif 000006
【図５】
2012192106.tif 000007
【図６】
2012192106.tif 000008
【図７】
2012192106.tif 000009
【図８】
2012192106.tif 000010